(57)【要約】【課題】類義語はひとまとめにして同じ単語と判定し、出現回数をカウントしてキーワードを作成し、そのキーワードからユーザが欲するキーワードの出現部分を録画すことで部分コンテンツを作成することができる録画データ再生装置等を提供すること。【解決手段】録画データ再生装置は、コンテンツの録画データを保存し、該コンテンツを区間ごとに区切り、類似単語をひとまとめにしたキーワードをカウントし、区間ごとに該キーワードを割り付け、ユーザの嗜好に合う単語に類似したキーワードが割り付けられた区間のみ再生を行う。【選択図】図１
2011015146.tif 000002
【特許請求の範囲】
【請求項１】
コンテンツの録画データを保存し、
該コンテンツを区間ごとに区切り、類似単語をひとまとめにしたキーワードをカウントし、区間ごとに該キーワードを割り付け、
ユーザの嗜好に合う単語に類似したキーワードが割り付けられた区間のみ再生を行うことを特徴とする録画データ再生装置。
【請求項２】
前記キーワードは、ユーザが嗜好に合うような単語をユーザが受信機に登録する、または、ユーザが番組を視聴したら、放送波から番組情報を取得し、それを蓄積して蓄積された情報の中から頻出単語をユーザの嗜好に合う単語とする、または、番組の感想入力手段を用いて、ユーザが入力したデータの中から頻出単語をユーザの嗜好に合う単語とするの手法で認識されることを特徴とする請求項１記載の録画データ再生装置。
【請求項３】
コンテンツの録画データを保存するステップと、
該コンテンツを区間ごとに区切り、類似単語をひとまとめにしたキーワードをカウントし、区間ごとに該キーワードを割り付けるステップと、
ユーザの嗜好に合う単語に類似したキーワードが割り付けられた区間のみ再生を行うステップとを有することを特徴とする録画データ再生方法。
【請求項４】
前記キーワードは、ユーザが嗜好に合うような単語をユーザが受信機に登録する、または、ユーザが番組を視聴したら、放送波から番組情報を取得し、それを蓄積して蓄積された情報の中から頻出単語をユーザの嗜好に合う単語とする、または、番組の感想入力手段を用いて、ユーザが入力したデータの中から頻出単語をユーザの嗜好に合う単語とするの手法で認識されることを特徴とする請求項３記載の録画データ再生方法。
【請求項５】
コンピュータに、コンテンツの録画データを保存する処理と、
該コンテンツを区間ごとに区切り、類似単語をひとまとめにしたキーワードをカウントし、区間ごとに該キーワードを割り付ける処理と、
ユーザの嗜好に合う単語に類似したキーワードが割り付けられた区間のみ再生を行う処理とを実行させることを特徴とするプログラム。
【請求項６】
前記キーワードは、ユーザが嗜好に合うような単語をユーザが受信機に登録する、または、ユーザが番組を視聴したら、放送波から番組情報を取得し、それを蓄積して蓄積された情報の中から頻出単語をユーザの嗜好に合う単語とする、または、番組の感想入力手段を用いて、ユーザが入力したデータの中から頻出単語をユーザの嗜好に合う単語とするの手法で認識されることを特徴とする請求項５記載のプログラム。
【発明の詳細な説明】
【技術分野】
【０００１】
本発明は、録画データをダイジェスト再生する技術に関する。
【背景技術】
【０００２】
今日の地上デジタルテレビ放送の録画、再生機能を持つ受信機では、単純な再生（録画したコンテンツを先頭からそのまま提示）を行うだけでなく、様々な特殊な再生（例えば、ハイライト再生：スポーツ中継の録画データをダイジェスト再生する機能、など）を行う機能を備えているものが増加している。
【０００３】
それらの特殊な再生は、コンテンツ自体に含まれる要素を利用して行われるものである（例えば、ハイライト再生では、音声の盛り上がりを検出してダイジェストを作成する）。これらは、コンテンツ自体に含まれる要素を利用しているため、コンテンツの内容を判断できる要素が含まれていないコンテンツの再生時には、特殊な再生を行うことができない。
【０００４】
一方、コンテンツは、必ずしもコンテンツの内容を判断できる要素を含むとは限らない。
【０００５】
そのため、コンテンツ自体に内容を判断できる情報が含まれていなくても特殊な再生を行える機能が必要になる。ここで、特殊な再生として、キーワードによるユーザの嗜好に合わせたダイジェスト再生等がある。
【０００６】
関連技術として、キーワード情報の抽出方法として、出現回数が最も多い単語をキーワードとする技術が開示されている（例えば、特許文献１参照）。
【先行技術文献】
【特許文献】
【０００７】
【特許文献１】特開２００６−１９００１９号公報
【発明の概要】
【発明が解決しようとする課題】
【０００８】
しかしながら、上述の関連技術では、同じ意味を持つ単語でも別の単語として認識されてしまう。すなわち、例えば、「ホームラン」と「ＨＲ」などである。したがって、同じ意味を持つ単語が複数使用されると、出現回数が低下してしまうという問題点があった。
【０００９】
本発明の目的は、類義語はひとまとめにして同じ単語と判定し、出現回数をカウントしてキーワードを作成し、そのキーワードからユーザが欲するキーワードの出現部分を録画すことで部分コンテンツを作成することができる録画データ再生装置、その方法およびプログラムを提供することにある。
【課題を解決するための手段】
【００１０】
本発明の録画データ再生装置は、コンテンツの録画データを保存し、
該コンテンツを区間ごとに区切り、類似単語をひとまとめにしたキーワードをカウントし、区間ごとに該キーワードを割り付け、
ユーザの嗜好に合う単語に類似したキーワードが割り付けられた区間のみ再生を行うことを特徴とする。
【００１１】
また、本発明の録画データ再生方法は、コンテンツの録画データを保存するステップと、
該コンテンツを区間ごとに区切り、類似単語をひとまとめにしたキーワードをカウントし、区間ごとに該キーワードを割り付けるステップと、
ユーザの嗜好に合う単語に類似したキーワードが割り付けられた区間のみ再生を行うステップとを有することを特徴とする。
【００１２】
また、本発明のプログラムは、コンピュータに、コンテンツの録画データを保存する処理と、
該コンテンツを区間ごとに区切り、類似単語をひとまとめにしたキーワードをカウントし、区間ごとに該キーワードを割り付ける処理と、
ユーザの嗜好に合う単語に類似したキーワードが割り付けられた区間のみ再生を行う処理とを実行させることを特徴とする。
【発明の効果】
【００１３】
本発明によれば、類義語はひとまとめにして同じ単語と判定し、出現回数をカウントしてキーワードを作成し、そのキーワードからユーザが欲するキーワードの出現部分を録画すことで部分コンテンツを作成することができる。
【図面の簡単な説明】
【００１４】
【図１】本発明の実施の形態に係る録画データ再生装置の構成を示す図である。
【図２】本発明の実施の形態に係る処理動作のフローである。
【発明を実施するための形態】
【００１５】
以下、本発明の第一の実施の形態について図面を参照して詳細に説明する。図１に示す本実施の形態における録画データ再生装置は、下記のような機能・構成をもつ受信機を対象とする。
【００１６】
地上デジタルテレビ放送を受信する機能・構成を持ち、かつＣＰＵ、メモリ、電源処理部、モニタ、入出力装置を備える。
地上デジタルテレビ放送のコンテンツを視聴しながら、[視聴中のコンテンツの感想などの情報（以下、（１）という）]を投稿でき、複数の視聴者間で共有できる機能（コンテンツを視聴しながらチャットできるような機能）を備える。
地上デジタルテレビ放送のコンテンツの録画機能・再生機能を備える。
【００１７】
コンテンツ録画時、及びコンテンツ再生時の動作例を図２を参照して以下に記載する。
＜録画時＞
地上デジタルテレビ放送のコンテンツを録画する際、自身を含む多数の視聴者がコンテンツ視聴中に投稿した（１）、及びそれぞれの（１）が投稿された時刻をコンテンツの録画データと共にメモリに保存する（Ｓ２１）。図１の例の場合、サーバから受信した感想などの情報を、それぞれ受信した時刻情報と共に受信機の内部メモリに保存する。
【００１８】
＜再生時＞
コンテンツ再生時、保存された（１）を利用して様々な再生を行う。（１）を利用して実現できる再生の例を下記に記載する。
【００１９】
・嗜好適合再生
コンテンツのユーザの嗜好に合うシーン（例えば、キーワードの合致などが挙げられる。）のみをダイジェストのように再生する機能。
【００２０】
[実施例]
１)コンテンツを区間ごとに区切り（Ｓ２２）、頻出単語（類似単語をひとまとめにしたもの）をカウントし（Ｓ２３）、区間ごとに頻出単語（キーワード）を割り付ける（Ｓ２４）。例えば、以下のような手法で取得したユーザの嗜好に合ったキーワードを受信機に登録しておく。
【００２１】
２)ユーザの嗜好に合うキーワードの取得手法の例
・ユーザが嗜好に合うような単語をユーザが受信機に登録する
・ユーザが番組を視聴したら、放送波から番組情報を取得し、それを蓄積する。蓄積された情報の中から頻出単語をユーザの嗜好に合う単語とする
・番組の感想入力手段を用いて、ユーザが入力したデータの中から頻出単語をユーザの嗜好に合う単語とする
【００２２】
３)再生を行う際、受信機に登録されたユーザの嗜好に合う単語に類似したキーワードが割り付けられた区間のみ再生を行う（Ｓ２５）ことで、ユーザの嗜好に合わせたダイジェスト再生を行うことができる。
【００２３】
・指定位置再生
ユーザが録画コンテンツを再生したい位置から再生を開始できる機能。（１）の投稿内容は、コンテンツの内容に関係したキーワードを含んでいる可能性が高いと考えられる（例えば、『ラーメン』という単語を含む投稿が多数ある時間帯付近は、ラーメンに関する映像が流れている可能性が高いと考えられる）。そのため、（１）に含まれる単語の抽出を行い、時間ごとに頻出単語を抽出し、それを用いてコンテンツの索引を作成する。ユーザが再生したいシーンに関連する索引を選択することで、その単語が頻出した時間の付近から再生することで、ユーザが再生したい場所から再生を開始することができる。
【００２４】
[実施例]
１)録画データを一定時間ごとに区切り、区切った区間で出現したチャットメッセージに対し、形態素解析を行い、単語を抽出する。
２)シソーラス（類義語辞書）を利用するなどして、区間ごとに抽出した単語を類義語ごとにカテゴリわけを行う（例えば、ホームラン、本塁打、ＨＲなどは類義語として同一カテゴリに分類する）。
３)  ２)の結果、１つのカテゴリに一定数以上の単語が分類された場合、コンテンツのシーンに関連するキーワードである可能性が高いため、カテゴリを示すキーワードをその区間の索引として登録する。
４)録画データのすべての区間に対して、１)〜３)を行う。
５)ユーザに索引を提示し、ユーザが索引を選択すると、その索引が登録された区間から再生を行う。
【００２５】
本発明の他の実施例として以下のようなものが考えられる。
【００２６】
特殊な再生を行うだけで無く、（１）の投稿内容を利用して再生に特殊な効果を与えることも可能とする。例えば、（１）の投稿内容に特定の単語が現れたら、受信機の効果音を鳴動させる、イルミネーションを点灯させる、など。
【００２７】
チャット以外の視聴者同士の情報共有機能（例えば掲示板のような機能）を用いることも可能とする。また、受信機が情報共有機能を持たなくても、Ｗｅｂなどの通信手段を用いるなど何らかの方法で（１）の情報が取得できる機能を持っていれば、それを利用することも可能とする。
【００２８】
（１）の情報を利用して視聴に効果を与えることも可能とする。例えば、取得した（１）の中に特定のキーワードが出現したら盛り上がり効果を与えるなど。
【００２９】
（１）の情報を利用して特殊な録画を行うことも可能とする。例えば、取得した（１）の中で特定のキーワードが出現している部分のみを録画することで、ユーザの欲する部分のみを録画することができる、など。
【００３０】
上記の本実施の形態によれば、コンテンツ自体に含まれる要素（例えば音声の盛り上がりなど）を利用せず、コンテンツの内容に関する情報を得ることができる。コンテンツ自体にコンテンツの内容を判断できる要素が含まれていなくても、コンテンツの内容を利用した再生機能を実現することができる。
【００３１】
なお、上述する各実施の形態は、本発明の好適な実施の形態であり、本発明の要旨を逸脱しない範囲内において種々変更実施が可能である。例えば、受信機の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図１】
2011015146.tif 000003
【図２】
2011015146.tif 000004